(57)【特許請求の範囲】
【請求項１】
布基礎（１）と、この布基礎（１）によって囲まれた床下の土壌（２０）を覆うように施工した土間コンクリート（２）とを備え、布基礎（１）の立上り部（３）の内側面と土間コンクリート（２）の端部上面とに跨って断熱材（５ａ）（５ｂ）を設けた基礎において、前記土間コンクリート（２）の端部に、前記土間コンクリート（２）の収縮を規制して、前記布基礎（１）の立上り部（３）と前記土間コンクリート（２）の端部との接合部分におけるクラックの発生を抑制する配筋（１１）を埋設するとともに、前記土間コンクリート（２）の断熱材（５ｂ）が設けられていない箇所に、防蟻処理を施したクラック誘発部位（１５）を設けたことを特徴とする基礎の防蟻構造。
【請求項２】
前記防蟻処理を施したクラック誘発部位（１５）は、前記土間コンクリート（２）の上面に形成した凹入溝（１６）に防蟻剤（１７）を充填してなる請求項１記載の基礎の防蟻構造。
【発明の詳細な説明】
【技術分野】
【０００１】
この発明は、布基礎と土間コンクリートを備えた基礎の防蟻構造に関する。
【背景技術】
【０００２】
住宅の基礎構造としては、布基礎によって囲まれた床下の土間部分に土間コンクリートを施工したものが一般的に知られている。特に近年では、住宅の高気密化、高断熱化に伴い、布基礎の立上り部や土間コンクリートに断熱材を張り付けることで、床下空間からの放熱を抑えて断熱性を高めるようにした構造のものが広く普及している。
【０００３】
このような基礎構造においては、土間コンクリートの経時的な乾燥に伴う収縮によって、布基礎の立上り部と土間コンクリートの端部との接合部分に隙間（クラック）が生じると、このクラックを伝ってシロアリが侵入して、土台や柱等の木質部分や断熱材に食害を与えるといった問題がある。
【０００４】
そこで、防蟻対策として、図５に示すように、布基礎５０の立上り部５１と土間コンクリート５２の端部との接合部分に対応させて、土間コンクリート５２の上面に防蟻剤５３を充填することで、クラックからのシロアリの侵入を防止することが行われている（例えば、特許文献１参照）。
【０００５】
【特許文献１】特開２００５−２１３８３７号公報
【発明の開示】
【発明が解決しようとする課題】
【０００６】
しかしながら、上記の防蟻対策では、土間コンクリート５２の上面において防蟻剤５３が断熱材５４ａ、５４ｂによって覆われた状態となっているので、防蟻剤５３の充填作業を待ってから断熱材５４ａ、５４ｂを施工する必要があり、施工性が悪いといった不具合があった。しかも、防蟻剤５３は、時間が経つにつれて防蟻効果が消失するので、定期的に新しいものと交換する必要があるが、この交換に際して、上記のように防蟻剤５３が断熱材５４ａ、５４ｂによって覆われていると、断熱材５４ａ、５４ｂを一旦取り外して防蟻剤５３を交換した後、再び断熱材５４ａ、５４ｂを取り付けるといった煩雑な作業を強いられ、メンテナンス性も悪かった。
【０００７】
そこで、この発明は、上記の問題点を解消して、良好な防蟻性能を発揮することができ、しかも施工性及びメンテナンス性に優れた基礎の防蟻構造の提供を目的とする。
【課題を解決するための手段】
【０００８】
上記課題を解決するため、この発明の基礎の防蟻構造は、布基礎１と、この布基礎１によって囲まれた床下の土壌２０を覆うように施工した土間コンクリート２とを備え、布基礎１の立上り部３の内側面と土間コンクリート２の端部上面とに跨って断熱材５ａ、５ｂを設けた基礎において、前記土間コンクリート２の端部に、前記土間コンクリート２の収縮を規制して、前記布基礎１の立上り部３と前記土間コンクリート２の端部との接合部分におけるクラックの発生を抑制する配筋１１を埋設するとともに、前記土間コンクリート２の断熱材５ｂが設けられていない箇所に、防蟻処理を施したクラック誘発部位１５を設けたことを特徴とする。
【００１１】
さらに、前記防蟻処理を施したクラック誘発部位１５は、前記土間コンクリート２の上面に形成した凹入溝１６に防蟻剤１７を充填してなる。
【発明の効果】
【００１２】
この発明の基礎の防蟻構造においては、布基礎の立上り部と土間コンクリートの端部との接合部分におけるクラックの発生を抑制するとともに、土間コンクリートにおける断熱材が設けられていない箇所において、クラックの発生を誘発しながら防蟻処理を施すようにしている。すなわち、シロアリの侵入経路となるクラック発生箇所を、断熱材と干渉することのない位置に移動させて、その位置において防蟻処理を施しているので、良好な防蟻性能を発揮しながらも、断熱材の施工と防蟻処理とを互いに関係なく別々に行うことができ、従来のように防蟻処理を待ってから断熱材を施工するときと比べて、施工性の向上を図ることができる。
【００１３】
しかも、防蟻剤の防蟻効果が消失したときの防蟻剤の交換に際しても、断熱材を取り外したり、再び取り付けたりする必要がなく、メンテナンス性も向上することができる。
【００１４】
さらに、防蟻処理を施す位置を比較的自由に設定することができ、設計の自由度を高めることもできる。
【発明を実施するための最良の形態】
【００１５】
以下、この発明の実施形態について図面に基づいて詳細に説明する。この発明の一実施形態に係る基礎は、図１乃至図３に示すように、布基礎１と、この布基礎１によって囲まれた床下の土間部分に施工した土間コンクリート２とを備えている。
【００１６】
布基礎１は、フーチング部４と、このフーチング部４の上面略中央から立ち上がった立上り部３とから断面逆Ｔ字状に形成され、フーチング部４及び立上り部３の下端が土壌２０内に埋設されている。
【００１７】
土間コンクリート２は、その周端部が布基礎１の立上り部３の内側面に打継ぎされていて、布基礎１で囲まれた床下の土壌２０の略全面を覆うようにして設置されている。
【００１８】
そして、布基礎１の立上り部３の内側面と土間コンクリート２の端部上面とに跨って、建築用部材としての断熱材５ａ、５ｂが床下空間を囲むようにして設けられている。この断熱材５ａ、５ｂは、布基礎１の立上り部３の内側面に張り付けられた発泡ポリスチレン等の発泡樹脂からなる縦方向の断熱材５ａと、土間コンクリート２の端部上面に張り付けられた発泡ポリスチレン等の発泡樹脂からなる横方向の断熱材５ｂとからなり、縦方向の断熱材５ａの下面を、横方向の断熱材５ｂの端部上面に当接することによって断面略Ｌ字状に形成されている。
【００１９】
上記基礎の防蟻構造として、布基礎１の立上り部３と土間コンクリート２の周端部との接合部分におけるクラックの発生を抑制するためのクラック抑制手段１０が設けられ、さらに土間コンクリート２の断熱材５ｂを避けるようにして、土間コンクリート２の断熱材５ｂが設けられていない箇所に、防蟻処理を施したクラック誘発部位１５が設けられている。
【００２０】
クラック抑制手段１０は、図１及び図２に示すように、土間コンクリート２の周端部に鋼材等からなる配筋１１を埋設することにより構成されている。この配筋１１により、土間コンクリート２の周端部の経時的な乾燥に伴う収縮を抑制して、布基礎１の立上り部３と土間コンクリート２の接合部分におけるクラックの発生を抑えることができる。
【００２１】
防蟻処理を施したクラック誘発部位１５は、図１及び図２に示すように、土間コンクリート２の上面に形成した断面略コ字状の凹入溝１６に防蟻剤１７を充填させることにより構成されている。凹入溝１６は、図３に示すように、横方向の断熱材５ｂ及び配筋１１よりも内側において、これら断熱材５ｂ及び配筋１１に沿って枠状に形成されている。この凹入溝１６が形成された部位は、薄肉となっていて強度が低下しており、土間コンクリート２の収縮応力が集中してクラックが発生し易くなっている。防蟻剤１７としては、防蟻薬液を含浸させたシーラントが用いられているが、シロアリの侵入を防ぐものであればどのようなものであっても良く、例えばシロアリの侵入を物理的に阻止する粒状のものや薬剤を含浸させた粒状のもの、さらには防蟻断熱材であっても良い。
【００２２】
上記構成においては、断熱材５ａ、５ｂによって覆われる布基礎１と土間コンクリート２との接合部分におけるクラックの発生を抑制するとともに、断熱材５ｂを避けるようにして設けたクラック誘発部位１５において、土間コンクリート２の収縮応力を集中させながら同時に防蟻処理を施すようにしているので、良好な防蟻性能を維持しながらも、断熱材５a、５ｂの施工と防蟻処理とを互いに関係なく別々に行うことができる。これにより、従来のように防蟻処理を待ってから断熱材を施工するときと比べて、施工性の向上を図ることができ、また防蟻効果が消失した防蟻剤の交換作業も簡単となって、メンテナンス性も向上することができる。
【００２３】
この発明は、上記実施形態に限定されるものではなく、この発明の範囲内で多くの変更及び修正を加え得ることは勿論である。例えば、上記実施形態においては、土間コンクリート２の収縮を規制するための配筋１１が、土間コンクリート２の端部にのみ埋設されているが、図４に示すように、布基礎１の立上り部３と土間コンクリート２の端部に跨って埋設することで、布基礎１と土間コンクリート２とを強固に連結して、接合部分におけるクラックの発生をより確実に防ぐようにしても良い。
【図面の簡単な説明】
【００２５】
【図１】この発明の一実施形態に係る基礎の防蟻構造の要部を示す破断斜視図である。
【図２】同じくその縦断面図である。
【図３】同じくその平面図である。
【図４】別の実施形態に係る基礎の防蟻構造を示す縦断面図である。
【図５】従来の基礎の防蟻構造を示す縦断面図である。
【符号の説明】
【００２６】
１・・布基礎、２・・土間コンクリート、３・・立上り部、５ａ、５ｂ・・断熱材、１０・・クラック抑制手段、１１・・配筋、１５・・クラック誘発部位、１６・・凹入溝、１７・・防蟻剤
【図１】
0004888278.tif 000002
【図２】
0004888278.tif 000003
【図３】
0004888278.tif 000004
【図４】
0004888278.tif 000005
【図５】
0004888278.tif 000006